(57)【要約】      （修正有）【課題】食品をキャンディー形をなすように巻包み、且つ包装材を切り剥がして食品を取り出し易くするための引帳片を有したフィルム体からなる包装材を提供する。【解決手段】本考案のフィルム体からなる包装材１には、少なくとも一つの彎曲した切り口１１が設けられ、切り口１１によって彎曲した形状の引張片１２が形成される。包装材１によって食品を巻包むとともに、包装材１における食品２両側に設けられた封止端１４をねじることにより、食品２を外側から包装材１によってキャンディー形をなすように巻包む。また引張片１２は、食品２を取り出すために包装材１を切り剥がす際の起点となる。【選択図】図７
0003194331.tif 000002
【実用新案登録請求の範囲】
【請求項１】
フィルム体からなる包装材であって、
前記包装材には、少なくとも一つの彎曲した切り口が設けられ、
前記切り口によって、彎曲した引張片が形成され、
更に前記包装材は、食品を巻包むために用いられ、
前記包装材における食品両側の位置には、封止端が設けられ、
前記封止端は、前記包装材で巻包まれた食品がキャンディー形の外観をなすように、ねじって収束され、
更に前記引張片は、食品を取り出すために前記包装材を切り剥がす際の起点となることを特徴とする、包装材。
【請求項２】
前記包装材の右側中央には、前記引張片が設けられ、
前記切り口における前記引張片の左側には、前記引張片と前記包装材が連接された状態を保つための切り残し部が設けられることを特徴とする、請求項１に記載の包装材。
【請求項３】
前記包装材における食品を巻包んで収束・封止した左右両端には、更に結束部が設けられ、
前記包装材の左右両端には、結束部に巻付けるための結束部品が設けられることを特徴とする、請求項１、請求項２のいずれか一つに記載の包装材。
【請求項４】
食品を巻包んだ前記包装材における接合辺には、更に粘着用部品が設けられることを特徴とする、請求項１、請求項２、請求項３のいずれか一つに記載の包装材。
【考案の詳細な説明】
【技術分野】
【０００１】
本考案は、包装材に関し、特にフィルム体からなるとともに、前記フィルム体からなる包装材によって食品をキャンディー形をなすように巻包み、且つ包装材を切り剥がして食品を取り出し易くするための引張片を有した、包装材に関する。
【背景技術】
【０００２】
まず、図１、２を参照する。図は、従来の三角おにぎり包装材、及びその使用を示した概略図である。三角おにぎり包装材１Ａ上方の左右には袋片２Ａが対称になるように貼られ、三角おにぎり包装材１Ａにおける袋片２Ａの間には浅く切り込まれた二つの平行線１Ａ１が設けられ、平行線１Ａ１の間には切出し部１Ａ２が形成される。次に、袋片２Ａに海苔３Ａを入れてから、三角おにぎり包装材１Ａ上に三角おにぎり４Ａを置き、三角おにぎり包装材１Ａによって三角おにぎり４Ａを包む（図１を参照）。三角おにぎり４Ａを取り出して食べる時は、切出し部１Ａ２に沿って三角おにぎり包装材１Ａを完全に剥がした後、三角おにぎり４Ａの左右から三角おにぎり包装材１Ａを取り外す（図２を参照）。
【０００３】
三角おにぎり包装材１Ａを使用するためには、袋片２Ａを結合させるとともに、平行線１Ａを浅く切り込む必要がある。これにより、切出し部１Ａ２が完全に三角おにぎり包装材１Ａを切り開くことができる。しかし、袋片２Ａと平行線１Ａ１の製造工程は、三角おにぎり包装材１Ａにおける難点の一つとなっており、三角おにぎり包装材１Ａの製造におおいて無駄なコストを生じていることは疑いの無い事実である。更に、三角おにぎり包装材１Ａで包装する際、複数回の煩瑣な労働、無駄な作業時間と包装過程といった、深刻な問題点を引き起こしている。同時に、袋片２Ａと平行線１Ａ１の煩瑣な構造のため、三角おにぎり包装材１Ａを切り開いて剥がす時、取り外しにくかったり、三角おにぎり４Ａを食べにくかったりする懸念がある（図１及び図２を合わせて参照）。
【０００４】
図３、４を参照する。図は、従来の棒状おにぎり包装材、及びその使用を示した概略図である。棒状おにぎり包装材１Ｂの一側には、浅く切り込まれた２本の切取線１Ｂ１が設けられ、切取線１Ｂ１の間には側面切出し部１Ｂ２が形成される。次に、棒状おにぎり包装材１Ｂ上に棒状おにぎり４Ｂを置いて、棒状おにぎり包装材１Ｂによって棒状おにぎり４Ｂを包む（図３を参照）。棒状おにぎり４Ｂを取り出して食べる時は、側面切出し部１Ｂ２に沿って棒状おにぎり包装材１Ｂを完全に切り開いた後、棒状おにぎり４Ｂの左右から棒状おにぎり包装材１Ｂを取り外す（図４を参照）。
【０００５】
棒状おにぎり包装材１Ｂを使用するためには、切取線１Ｂ１を浅く切り込む必要がある。これにより、側面切出し部１Ｂ２によって完全に棒状おにぎり包装材１Ｂを切り開くことができる。しかし、側面切出し部１Ｂ２の製造工程によって、棒状おにぎり包装材１Ｂを製造する際に無駄なコストが生じていることは疑いの無い事実である。更に、棒状おにぎり包装材１Ｂを貯蔵する時、平行線１Ｂ１から亀裂が生じることが多くあり、棒状おにぎり包装材１Ｂで包装する際、複数回の煩瑣な労働、無駄な作業時間と包装過程といった、深刻な問題点を引き起こしている。同時に、棒状おにぎり包装材１Ｂの煩瑣な包装のため、棒状おにぎり包装材１Ｂを切り開いて剥がす時、取り外しにくかったり、食べにくかったりする懸念がある（図３及び図４を合わせて参照）
【０００６】
図５、６を参照する。図は、従来の角錐状包装材、及びその使用を示した概略図である。角錐状包装材１Ｃは、二つのフィルム片１Ｃ１が貼り合わされて下方に開口した錐状袋部１Ｃ２を形成するとともに、錐状袋部１Ｃ２上側には封合部１Ｃ３が平行に接続され、封合部１Ｃ３上方には切出し片１Ｃ５を備えた延伸部１Ｃ４が設けられる。続いて、角錐状包装材１Ｃの錐状袋部１Ｃ２に食品４Ｃを入れて、角錐状包装材１Ｃによって食品４Ｃを包む（図５を参照。尚、食品４Ｃは、おにぎり、サンドイッチ、寿司…等である）。食品４Ｃを取り出して食べる時は、切出し片１Ｃ５を下方へ引き、角錐状包装材１Ｃを切り開けばよい（図６を参照）。
【０００７】
角錐状包装材１Ｃを使用するためには、フィルム片１Ｃ１を貼り合わせるとともに、封合部１Ｃ３を平行に接続し、且つ切出し片１Ｃ５を設けることにより、角錐状包装材１Ｃをなす必要がある。しかし前述したような角錐状包装材１Ｃの製造工程は煩瑣であり、角錐状包装材１Ｃの製造コストに無駄を生じている（図５及び図６を合わせて参照）。
【考案の概要】
【考案が解決しようとする課題】
【０００８】
本考案は、フィルム体からなるとともに、前記フィルム体からなる包装材によって食品をキャンディー形をなすように巻包み、且つ包装材を切り剥がして食品を取り出し易くするための引張片を有した、包装材を提供することを目的とする。
【課題を解決するための手段】
【０００９】
上述の目的を達成するため、本考案の包装材は、フィルム体であるとともに、フィルム体の包装材中央右側には彎曲した切り口が設けられ、切り口によって彎曲した引張片が形成され、切り口における引張片左側には包装材と連接されたままの切り残し部が残される。次に、包装材で食品を巻包むとともに、包装材における食品両側に設けられた封止端をねじって、食品を外側から包装材によってキャンディー形をなすように巻包む。更に引張片は、食品を取り出すために包装材を切り剥がす際の起点となる。
【００１０】
食品を巻包んだ前記包装材における封止端には、更に結束部が設けられる。加えて包装材には、結束部に巻付けるための結束部品が設けられる。
【考案の効果】
【００１１】
以上の構造により、本考案は、従来技術と比較して以下の長所を備える。即ち、簡易なフィルム体からなる包装材によって、食品を外側からキャンディー形をなすように巻包むとともに、キャンディー形をなした包装材に設けられた引張片を引くだけで、包装材を切り剥がして食品を取り出すことができる。以上のように、巻包んでキャンディー形をなすという簡易な食品包装に加え、引張片が設けられた構造により、従来におけるコストの無駄という問題を解決することができる。
【図面の簡単な説明】
【００１２】
【図１】従来の三角おにぎり包装材を示した概略図である。
【図２】従来の三角おにぎり包装材の使用を示した概略図である。
【図３】従来の棒状おにぎり包装材を示した概略図である。
【図４】従来の棒状おにぎり包装材の使用を示した概略図である。
【図５】従来の角錐状包装材を示した概略図である。
【図６】従来の角錐状包装材の使用を示した概略図である。
【図７】本考案の包装材を示した斜視図である。
【図８】本考案の包装材の使用を示した概略図である。
【図９】本考案の包装材を切り開いた様子を示した概略図である。
【考案を実施するための形態】
【００１３】
図７、図８、図９を参照する。図は、本考案の包装材を示した斜視図、使用を示した概略図、包装材を切り開いた様子を示した概略図である。本考案の包装材１は、フィルム体であるとともに、フィルム体からなる包装材１の範囲内に少なくとも一つの彎曲した切り口１１が設けられ、包装材１の右側中央には切り口１１によって彎曲した引張片１２が形成される。加えて、切り口１１における引張片１２左側には、包装材１と連接されたままの切り残し部１３が残される。次に、包装材１によって食品２を巻包むとともに、包装材１における食品２両側に設けられた封止端１４をねじって、食品２を外側から包装材１によってキャンディー形をなすように巻包む（図７を参照。尚、食品２はおにぎり、サンドイッチ、寿司、ご飯サンド、パン…等である）。更に引張片１２は、食品２を取り出すために包装材１を切り剥がす際の起点となる（図８、図９を参照）。
【００１４】
食品２を巻包んだ包装材１における封止端１４には、更に結束部１５が設けられる。加えて包装材１には、結束部１５に巻付けるための結束部品３が設けられる（図７、図８、図９を合わせて参照する）。
【００１５】
上述したように、食品２は、一枚のフィルム体からなる包装材１によって巻包まれるだけで、伝統的な形状のキャンディー形を形成する。即ち、昔ながらのキャンディー形を発展させることにより、食品２の新しい包装材が創造される。また、手作業で食品２をキャンディー形をなすように包装する時、訓練を必要とせず、直ぐに完成させることができるため、食品２の包装コストを極限まで抑えることが期待される。加えて、フィルム体からなる包装材１上に引張片１２を設けるだけで、シンプルな包装材１製品が加工と原材料の節約、及び環境保護の概念を兼ね備えるという利点を生む。
【００１６】
更に、キャンディー形をなすように包装された食品２は、電子レンジで温め易く、簡単に包装材１を剥いで食品２を取り出すことができる。また、食品２を取り出す時、食器を用いる必要がないため、環境による制限を受けずに食品２を取り出すことができる。加えて、包装材１以外にゴミが生じないことも、利点の一つである。
【００１７】
また、食品２を一枚のフィルム体からなる包装材１によって伝統的な形状のキャンディー形をなすように巻包む構造において、フィルム体からなる包装材１には、食品２の特色に合わせたデザイン、或いは可愛らしい絵柄や流行の図形を簡単に設けることができる。これにより、各年齢層を対象とした商品に適するように変化を加え易いという長所を備える。
【符号の説明】
【００１８】
（従来技術）
１Ａ   三角おにぎり包装材
１Ａ１ 平行線
１Ａ２ 切出し部
１Ｂ   棒状おにぎり包装材
１Ｂ１ 切取線
１Ｂ２ 側面切出し部
１Ｃ   角錐状包装材
１Ｃ１ フィルム片
１Ｃ２ 錐状袋部
１Ｃ３ 封合部
１Ｃ４ 延伸部
１Ｃ５ 切出し片
２Ａ   袋片
３Ａ   海苔
４Ａ   三角おにぎり
４Ｂ   棒状おにぎり
４Ｃ   食品
（本考案）
１            包装材
１１   切り口
１２   引張片
１３   切り残し部
１４   封止端
１５   結束部
２            食品
３            結束部品
【図１】
0003194331.tif 000003
【図２】
0003194331.tif 000004
【図３】
0003194331.tif 000005
【図４】
0003194331.tif 000006
【図５】
0003194331.tif 000007
【図６】
0003194331.tif 000008
【図７】
0003194331.tif 000009
【図８】
0003194331.tif 000010
【図９】
0003194331.tif 000011